(57)【要約】【課題】不正検知器の制御を容易にするとともに、コントローラの設置を容易にし、さらに遊技場に管理者が不在のときでも即座に不正検知状況を通知する遊技場不正監視システムを提供する。【解決手段】不正電波検知器４、人体検知器５、磁気検知器６、スロットマシーン・パチンコ台扉開閉検知器７等の不正検知器と島コントローラ２をリング状に接続することで検出器のＩＤ番号の通信することなしに不正検知器を制御する。さらに、マスタコントローラ９と島コントローラを無線手段１２により通信することで配線のための工事をすることなく設置できるようにする。さらに、不正を検知したとき遊技場に管理者が不在でも、インターネットを経由する通信手段１５により携帯端末に検知状況を通知する。【選択図】  図１
2004337550.tif 000002
【特許請求の範囲】
【請求項１】
各島内の互いに隣り合う電波検知器、人体検知器、磁気検知器、スロットマシーン・パチンコ台扉開閉検知器、その他の不正検知器が接続されるとともに、両端の不正検知器が島コントローラに接続されることで、不正検知器と島コントローラがリング状に接続されて不正検知器および島コントローラの間で通信をすることを特徴とする遊技場不正監視システム。
【請求項２】
リング状に接続された不正検知器が順に不正検知信号を島コントローラに送出することを特徴とする請求項１に記載の遊技場不正監視システム。
【請求項３】
不正検知時に不正を検知した不正検知器が設置されている台および不正検知器の種別を島コントローラに設置されている表示装置に表示することを特徴とする請求項２に記載の遊技場不正監視システム。
【請求項４】
島内の不正検知器と島コントローラがハーネス、ＬＡＮ、その他の配線手段により接続されることを特徴とする請求項１に記載の遊技場不正監視システム。
【請求項５】
保安室に設置されたマスタコントローラと遊技場に設置された島コントローラが、光による通信手段、レーザーによる通信手段、超音波による通信手段、電波による通信手段、電力線搬送通信手段、その他の無線通信手段により通信することを特徴とする請求項１に記載の遊技場不正監視システム。
【請求項６】
不正検知時に不正を検知した不正検知器が設置されている島と台および不正検知器の種別をマスタコントローラに設置されている表示装置に表示することを特徴とする請求項４に記載の遊技場不正監視システム。
【請求項７】
マスタコントローラもしくは島コントローラから電子メール、その他のインターネットを経由する通信手段により検知状況を遊技場の外部の携帯電話、その他の携帯端末もしくはウェブサーバ、メールサーバ、その他のサーバに通知することを特徴とする請求項１あるいは４に記載の遊技場不正監視システム。
【発明の詳細な説明】
【０００１】
【発明の属する技術分野】
本発明は、遊技場不正監視システムに関するものである。
【０００２】
【従来の技術】
従来、遊技場内の複数の不正検知器をコントローラにより管理するために、コントローラおよびすべての不正検知器を一組の通信信号線に接続する方法（特開２００１−０４６７０９号公報、特開２００１−０６２１２５号公報）がとられていた。しかし、この方法では各コントローラに接続されている不正検知器を制御するために、不正検知器のＩＤ番号を通信することが不可欠であるという欠点があった。さらに、保安室内のコントローラと遊技場内のコントローラもしくは不正検出器をケーブルで結ぶ方法（特開２００１−０４６７０９号公報、特開２００１−０６２１２５号公報）がとられていた。しかし、この方法ではこのケーブルを保安室と遊技場の間に配線するための工事を必要とするという欠点があった。さらに、夜間など遊技場が不在である間に遊技場内に侵入者があったとき、従来、ディスプレイ装置、表示灯、ブザー等の警報装置により警報を通知する方法（特開２００１−０４６７０９号公報）や、情報網を介してコンピュータで監視する方法（特開２００１−０６２１２５号公報）がとられていた。しかし、この方法では遊技場内、あるいはコンピュータの前に管理者がいなければ不正の検知状況を即座に知ることができないという欠点があった。
【０００３】
【発明が解決しようとする課題】
複数の不正検知器をコントローラで制御する従来の遊技場管理システムは、コントローラと不正検知器の間で不正検知器のＩＤ番号の通信が不可欠であった。本発明は、コントローラと不正検知器の間で不正検知器のＩＤ番号の通信をおこなわずに、島コントローラが容易に不正検知器を制御することを目的としている。さらに、この発明は、従来の遊技場管理システムは保安室と遊技場に設置されたコントローラの接続のために配線及び工事が必要であるという欠点を解決し、遊技場不正監視システムの設置を容易にすることを目的としている。さらに、この発明は不正を検知したときに遊技場あるいはコンピュータの前に管理者がいなくても、即座に携帯端末に通知することを目的としている。
【０００４】
【課題を解決するための手段】
請求項１に記載の遊技場不正監視システムは、各島内の互いに隣り合う電波検知器、人体検知器、磁気検知器、スロットマシーン・パチンコ台扉開閉検知器、その他の不正検知器が接続されるとともに、両端の不正検知器が島コントローラに接続されることで、不正検知器と島コントローラがリング状に接続されて不正検知器および島コントローラの間で通信をすることからなっている。
【０００５】
請求項２に記載の遊技場不正監視システムは、請求項１に記載の構成において、リング状に接続された不正検知器が順に不正検知信号を島コントローラに送出することからなっている。
【０００６】
請求項３に記載の遊技場不正監視システムは、請求項２に記載の構成において、不正検知時に不正を検知した不正検知器が設置されている台および不正検知器の種別を島コントローラに設置されている表示装置に表示することからなっている。
【０００７】
請求項４に記載の遊技場不正監視システムは、請求項１に記載の構成において、島内の不正検知器と島コントローラがハーネス、ＬＡＮ、その他の配線手段により接続されることからなっている。
【０００８】
請求項５に記載の遊技場不正監視システムは、請求項１に記載の構成において、保安室に設置されたマスタコントローラと遊技場に設置された島コントローラが、光による通信手段、レーザーによる通信手段、超音波による通信手段、電波による通信手段、電力線搬送通信手段、その他の無線通信手段により通信することからなっている。
【０００９】
請求項６に記載の遊技場不正監視システムは、請求項４に記載の構成において、不正検知時に不正を検知した不正検知器が設置されている島と台および不正検知器の種別をマスタコントローラに設置されている表示装置に表示することからなっている。
【００１０】
請求項７に記載の遊技場不正監視システムは、請求項１あるいは４に記載の構成において、マスタコントローラもしくは島コントローラから電子メール、その他のインターネットを経由する通信手段により検知状況を遊技場の外部の携帯電話、その他の携帯端末もしくはウェブサーバ、メールサーバ、その他のサーバに通知することからなっている。
【００１１】
本発明の島コントローラは、島内においてリング状に接続されている不正検知器を制御するための制御装置である。
【００１２】
本発明のマスタコントローラは、無線通信手段により接続されている遊技場内の島コントローラを制御するための制御装置である。
【発明の実施の形態】
本発明の実施形態について図１を参照して説明する。図１は、本発明の遊技場不正監視システムの１例の構成図である。島１内の互いに隣り合う不正検知器および島コントローラ２はハーネス、ＬＡＮ、その他の配線手段３により接続されており、島コントローラと不正検知器はリング状に接続されている。不正電波検知器４、人体検知器５、磁気検知器６、スロットマシーン・パチンコ台扉開閉検知器７は、各スロットマシーン・パチンコ台８に設置されている。島コントローラは各島に設置されている。マスタコントローラ９は保安室１０に設置されている。保安室内のマスタコントローラと遊技場１１内の島コントローラは、光による通信手段、レーザーによる通信手段、超音波による通信手段、電波による通信手段、電力線搬送通信手段、その他の無線通信手段１２により通信をおこなう。
【００１３】
不正電波検知器が不正電波を検知すると、不正検知信号を島コントローラに送出する。
【００１４】
人体検知器が侵入者を検知すると、不正検知信号を島コントローラに送出する。
【００１５】
磁気検知器が不正磁気を検知すると、不正検知信号を島コントローラに送出する。
【００１６】
スロットマシーン・パチンコ台扉開閉検知器がスロットマシーン・パチンコ台の扉の開閉を検知すると、不正検知信号を島コントローラに送出する。
【００１７】
島コントローラは不正検知信号を受け取ると、不正行為を検知した台番号と不正検知器の種別を示す番号を島コントローラに設置されている表示装置１３に表示する。さらに、無線通信手段を経由してマスタコントローラに検出内容を通知する。
【００１８】
図２は、島コントローラに設置されている表示装置の表示形態の具体例を示すものである。検知数表示部２０には、不正を検知した不正検知器の数が表示される。不正行為が検知されていないときは、０が表示される。台番号表示部２１には、不正を検知した検知器が設置されているスロットマシーン・パチンコ台の台番号が表示される。検知器種別表示部２２には、不正を検知した検知器の種別番号が表示される。同時に複数の不正検知器が不正を検知したときは、不正を検出した台番号および検出器種別番号が一定時間間隔で順にそれぞれ台番号表示部および検知器種別表示部に表示される。
【００１９】
マスタコントローラは、マスタコントローラに設置されている表示装置１４に、不正行為を検知した台番号と不正検知器の種別を示す番号をマスタコントローラに設置されている表示装置に表示する。さらに、管理者が遊技場内に不在のときは電子メール、その他のインターネットを経由する通信手段１５を経由して検出状況を携帯電話、その他の携帯端末１６もしくはウェブサーバ、メールサーバ、その他のサーバ１７に通知する。
【００２０】
図３は、マスタ島コントローラに設置されている表示装置の表示形態の具体例を示すものである。検知数表示部３０には、不正を検知した不正検知器の数が表示される。不正行為が検知されていないときは、０が表示される。島番号表示部３１には、不正を検知した検知器が設置されている島の島番号が表示される。台番号表示部３２には、不正を検知した検知器が設置されているスロットマシーン・パチンコ台の台番号が表示される。検知器種別表示部３３には、不正を検知した検知器の種別番号が表示される。同時に複数の不正検知器が不正を検知したときは、不正を検出した島番号、台番号および検出器種別番号が一定時間間隔で順にそれぞれ島番号表示部、台番号表示部および検知器種別表示部に表示される。
【００２１】
【発明の効果】
請求項１の遊技場不正監視システムによれば、互いに隣り合う不正検知器および島コントローラをリング状に接続することで、各島に設置された島コントローラにより島内のすべての不正検知器を制御することができる。
【００２２】
請求項２の遊技場不正監視システムによれば、不正検知器のＩＤ番号を通信することなく、不正検知信号がいずれの不正検知器から送られたものであるかを島コントローラは判別することができ、正確に不正を監視することができる。
【００２３】
請求項３の遊技場不正監視システムによれば、島コントローラに設置されている表示装置により不正が検知された台と不正行為の内容を表示することができるため、不正行為の検知状況を正確に把握することができる。
【００２４】
請求項４の遊技場不正監視システムによれば、不正検知器と島コントローラの接続を容易におこなうことができる。
【００２５】
請求項５の遊技場不正監視システムによれば、保安室と遊技場の間に配線することなしに遊技場不正監視システムを設置することができる。
【００２６】
請求項６の遊技場不正監視システムによれば、マスタコントローラに設置されている表示装置により不正が検知された台と不正行為の内容を表示することができるため、不正行為の検知状況を正確に把握することができる。
【００２７】
請求項７の遊技場不正監視システムによれば、不正を検知したとき遊技場が不在でも、インターネットを経由して遊技場外の携帯端末により不正検知状況の通知あるいは確認をすることができるため，不在時の不正侵入行為に対して迅速かつ適確に対応することができる。
【図面の簡単な説明】
【図１】本発明の１例のブロック図である。
【図２】島コントローラに設置されている１例の表示装置の平面図である。
【図３】マスタコントローラに設置されている１例の表示装置の平面図である。
【符号の説明】
１  島
２  島コントローラ
３  配線手段
４  電波検知器
５  人体検知器
６  磁気検知器
７  スロットマシーン・パチンコ台扉開閉検知器
８  スロットマシーン・パチンコ台
９  マスタコントローラ
１０  保安室
１１  遊技場
１２  無線通信手段
１３  島コントローラに設置されている表示装置
１４  マスタコントローラに設置されている表示装置
１５  インターネットを経由する通信手段
１６  携帯端末
１７  サーバ
２０  島コントローラに設置されている表示装置の検知数表示部
２１  島コントローラに設置されている表示装置の台番号表示部
２２  島コントローラに設置されている表示装置の検知器種別表示部
３０  マスタコントローラに設置されている表示装置の検知数表示部
３１  マスタコントローラに設置されている表示装置の島番号表示部
３２  マスタコントローラに設置されている表示装置の台番号表示部
３３  マスタコントローラに設置されている表示装置の検知器種別表示部
【図１】
2004337550.tif 000003
【図２】
2004337550.tif 000004
【図３】
2004337550.tif 000005